(57)【特許請求の範囲】
【請求項１】
光を発する光源部と、
前記光源部から発せられた前記光のうち、第１の色成分の光を第１の画像信号に基づいて変調する第１の光変調部と、
前記光源部から発せられた前記光のうち、第２の色成分の光を第２の画像信号に基づいて変調する第２の光変調部と、
前記第１の光変調部により変調された光に対応する第１の画像、および前記第２の光変調部により変調された光に対応する第２の画像を投写する投写部と、
前記第１の画像および前記第２の画像を重畳して投写することにより、前記第１の画像に対する前記第２の画像の位置ずれを表示する表示制御部と、
投写された前記第１の画像に対する前記第２の画像の移動指示を受け付ける受付部と、
前記受付部が受け付けた前記移動指示に基づいて前記位置ずれを補正するための補正情報を決定し、決定した前記補正情報に基づいて前記第２の画像信号を補正するアライメント調整部と、を備え、
前記受付部は、
前記第２の画像を一様に移動させるための第１の指示入力画面および前記第２の画像の所定の箇所を移動させるための第２の指示入力画面を介して前記移動指示を受け付け、
前記第１の指示入力画面を介した前記移動指示を、前記第２の指示入力画面を介した前記移動指示よりも先に受け付けることを特徴とするプロジェクター。
【請求項２】
請求項１に記載のプロジェクターにおいて、
前記アライメント調整部は、前記受付部が前記第１の指示入力画面を介した前記移動指示を受け付けた場合、前記移動指示に応じて前記第２の画像に対して同一の移動量で移動させるか、または、前記移動指示に応じて前記第２の画像のデータをオフセットして読み込むことを特徴とするプロジェクター。
【請求項３】
請求項１または２のいずれかに記載のプロジェクターにおいて、
前記第２の指示入力画面は、前記第２の画像の複数の端部を移動させる前記移動指示、および前記第２の画像の任意の箇所を移動させる前記移動指示の少なくとも１つを受け付けることを特徴とするプロジェクター。
【請求項４】
光源部と、前記光源部から発せられた光のうち、第１の色成分の光を第１の画像信号に基づいて変調する第１の光変調部と、前記光源部から発せられた光のうち、第２の色成分の光を第２の画像信号に基づいて変調する第２の光変調部と、前記第１の光変調部により変調された光に対応する第１の画像、および前記第２の光変調部により変調された光に対応する第２の画像を投写する投写部と、を備えるプロジェクターの調整方法であって、
前記第１の画像および前記第２の画像を重畳して投写することにより、前記第１の画像に対する前記第２の画像の位置ずれを表示する位置ずれ表示工程と、
投写された前記第１の画像に対して前記第２の画像を一様に移動させるための第１の指示入力画面を介して移動指示を受け付ける第１の受付工程と、
前記第２の画像の所定の箇所を移動させるための第２の指示入力画面を介して前記移動指示を受け付ける第２の受付工程と、
前記移動指示に基づいて前記位置ずれを補正するための補正情報を決定し、決定した前記補正情報を記憶する記憶工程と、
を備え、
前記第１の指示入力画面を介した前記移動指示を、前記第２の指示入力画面を介した前記移動指示よりも先に受け付けることを特徴とするプロジェクターの調整方法。
【発明の詳細な説明】
【技術分野】
【０００１】
本発明は、プロジェクターおよびプロジェクターの調整方法に関する。
【背景技術】
【０００２】
画像信号に基づいて光変調装置への入射光を変調し、変調された光を投写することで画
像表示を行うプロジェクターが普及している。このようなプロジェクターは、一般的に、
ランプ及び集光鏡を有する光源と、この光源から発せられた光を集光して光変調装置に入
射させる照明光学系と、入射する光を変調する光変調装置とを備えており、光変調装置か
らの光を投写レンズ等の投写光学系によってスクリーン等の投写面に投写するようになっ
ている。
このようなプロジェクターのうち、波長が異なる赤色光（R）、緑色光（G）、及び青色
光（B）の各三原色光を合成して投写を行うプロジェクターでは、光変調装置のような光
学系の位置決めの精度にばらつきが生じる場合がある。このようなばらつきが生じた場合
、スクリーン上に投写された表示画像において、各原色光間で位置ずれが生じ、この位置
ずれによって色ずれが発生してしまう問題があった。
そこで、下記特許文献１に示すように、色ずれを補正する調整機構を設けたプロジェク
ターが提案されている。このようなプロジェクターで色ずれを補正する場合には、ユーザ
ーが調整画面を確認し、表示画像の四隅のポイントや任意のポイントを指定し、指定した
ポイント毎に位置ずれを調整することで色ずれを補正した。
【先行技術文献】
【特許文献】
【０００３】
【特許文献１】特開２０１３−１０５１７０号公報
【発明の概要】
【発明が解決しようとする課題】
【０００４】
しかしながら、表示画像が全体に亘り均一にずれているような場合、表示画像の四隅の
ポイントや任意のポイントを指定し、表示画像の補正量が全体に亘り均一になるように各
ポイントでの補正量を設定する必要があり、設定に多くの手間と時間を要した。
本発明は、上述の課題に鑑みてなされたものであり、波長が異なる光でそれぞれ変調し
た表示画像間に生じるずれを容易に補正することを目的とする。
【課題を解決するための手段】
【０００５】
本発明は、上述の課題の少なくとも一部を解決するためになされたものであり、以下の
形態又は適用例として実現することが可能である。
【０００６】
［適用例１］
本適用例にかかるプロジェクターは、光を発する光源部と、前記光源部から発せられた
前記光のうち、第１の色成分の光を第１の画像信号に基づいて変調する第１の光変調部と
、前記光源部から発せられた前記光のうち、第２の色成分の光を第２の画像信号に基づい
て変調する第２の光変調部と、前記第１の光変調部により変調された光に対応する第１の
画像、および前記第２の光変調部により変調された光に対応する第２の画像を投写する投
写部と、前記第１の画像および前記第２の画像を重畳して投写することにより、前記第１
の画像に対する前記第２の画像の位置ずれを表示する表示制御部と、投写された前記第１
の画像に対する前記第２の画像の移動指示を受け付ける受付部と、前記受付部が受け付け
た前記移動指示に基づいて前記位置ずれを補正するための補正情報を決定し、決定した前
記補正情報に基づいて前記第２の画像信号を補正するアライメント調整部と、を備え、前
記受付部は、前記第２の画像を一様に移動させるための第１の指示入力画面および前記第
２の画像の所定の箇所を移動させるための第２の指示入力画面を介して前記移動指示を受
け付けることを特徴とする。
【０００７】
このような構成によれば、第１の光変調部により変調された光に対応する第１の画像、
および第２の光変調部により変調された光に対応する第２の画像が重畳して投写されるた
め、第１の画像に対する第２の画像の位置ずれを視認させつつ、第２の画像を一様に移動
させるための第１の指示入力画面および第２の画像の所定の箇所を移動させるための第２
の指示入力画面を介して移動指示を受け付け、受け付けた移動指示に基づいて位置ずれを
補正するための補正情報を決定し、決定した補正情報に基づいて第２の画像信号を補正す
る。従って、第１の画像に対する第２の画像の位置ずれに応じて、第１の指示入力画面を
介して第２の画像を一様に移動させたり、第２の指示入力画面を介して第２の画像の所定
の箇所を移動させたりできることから、変調された光に対応する画像間の位置ずれを容易
に補正できる。
【０００８】
［適用例２］
上記適用例にかかるプロジェクターにおいて、前記受付部は、前記第１の指示入力画面
を介した前記移動指示を、前記第２の指示入力画面を介した前記移動指示よりも先に受け
付けることが好ましい。
【０００９】
このような構成によれば、第２の画像を一様に移動させた後、第２の画像の所定の箇所
を移動させるため、第２の画像の均一なずれを先に補正することで、詳細なずれの補正の
指示が容易になる。
【００１０】
［適用例３］
上記適用例にかかるプロジェクターにおいて、前記アライメント調整部は、前記受付部
が前記第１の指示入力画面を介した前記移動指示を受け付けた場合、前記移動指示に応じ
て前記第２の画像に対して同一の移動量で移動させるか、または、前記移動指示に応じて
前記第２の画像のデータをオフセットして読み込むことが好ましい。
【００１１】
このような構成によれば、第２の画像に対して同一の移動量で移動させるか、または、
第２の画像のデータをオフセットして読み込むことにより、２つの方法の何れかで第２の
画像を一様に移動させることができる。
【００１２】
［適用例４］
上記適用例にかかるプロジェクターにおいて、前記第２の指示入力画面は、前記第２の
画像の複数の端部を移動させる前記移動指示、および前記第２の画像の任意の箇所を移動
させる前記移動指示の少なくとも１つを受け付けることが好ましい。
【００１３】
このような構成によれば、第２の指示入力画面により、第２の画像の端部および任意の
箇所の少なくとも１つを移動させることができる。
【００１４】
［適用例５］
本適用例にかかるプロジェクターの調整方法は、光源部と、前記光源部から発せられた
光のうち、第１の色成分の光を第１の画像信号に基づいて変調する第１の光変調部と、前
記光源部から発せられた光のうち、第２の色成分の光を第２の画像信号に基づいて変調す
る第２の光変調部と、前記第１の光変調部により変調された光に対応する第１の画像、お
よび前記第２の光変調部により変調された光に対応する第２の画像を投写する投写部と、
を備えるプロジェクターの調整方法であって、前記第１の画像および前記第２の画像を重
畳して投写することにより、前記第１の画像に対する前記第２の画像の位置ずれを表示す
る位置ずれ表示工程と、投写された前記第１の画像に対して前記第２の画像を一様に移動
させるための第１の指示入力画面を介して移動指示を受け付ける第１の受付工程と、前記
第２の画像の所定の箇所を移動させるための第２の指示入力画面を介して前記移動指示を
受け付ける第２の受付工程と、前記移動指示に基づいて前記位置ずれを補正するための補
正情報を決定し、決定した前記補正情報を記憶する記憶工程と、を備えることを特徴とす
る。
【００１５】
このような方法によれば、第１の光変調部により変調された光に対応する第１の画像、
および第２の光変調部により変調された光に対応する第２の画像が重畳して投写されるた
め、第１の画像に対する第２の画像の位置ずれを視認させつつ、第２の画像を一様に移動
させるための第１の指示入力画面、および第２の画像の所定の箇所を移動させるための第
２の指示入力画面の少なくとも１つを介して移動指示を受け付け、受け付けた移動指示に
基づいて位置ずれを補正するための補正情報を決定して記憶し、記憶した補正情報に基づ
いて第２の画像信号を補正する。従って、第１の画像に対する第２の画像の位置ずれに応
じて、第１の指示入力画面を介して第２の画像を一様に移動させたり、第２の指示入力画
面を介して第２の画像の所定の箇所を移動させたりできることから、変調された光に対応
する画像間の位置ずれを容易に補正できる。
【図面の簡単な説明】
【００１６】
【図１】本実施形態のプロジェクターの機能構成を示すブロック図。
【図２】調整パターン画像の重畳を説明する図。
【図３】指示入力画面を説明する図。
【図４】四点調整を説明する図。
【図５】アライメント調整の処理の流れを示すフローチャート。
【発明を実施するための形態】
【００１７】
以下、本発明の実施形態について図面を参照して説明する。
【００１８】
（実施形態）
＜プロジェクターの機能構成＞
図１は本実施形態のプロジェクター１０の機能構成を示すブロック図である。このプロ
ジェクター１０は、画像入力端子２０、画像データ入力手段２２、入力操作手段２４、電
源端子２６、電源供給手段２８、制御手段３０、画像信号処理手段３２、ＯＳＤ処理手段
３４、アライメント調整手段３６、アライメント画像表示制御手段３８、記憶手段４０、
光源制御手段４２、フォーカス調整手段４４、ズーム調整手段４６、レンズシフト調整手
段４８および画像投写手段５０を備える。尚、これらは図示しないプロジェクター１０の
筐体の内部、または外面に収容されている。
画像投写手段５０は、光源５２、光変調装置としての３つの液晶ライトバルブ５６Ｒ，
５６Ｇ，５６Ｂ、投写光学系としての投写レンズ６０、液晶駆動手段５４等を含んでいる
。画像投写手段５０は、光源５２から射出された光を、液晶ライトバルブ５６Ｒ，５６Ｇ
，５６Ｂで変調し、投写レンズ６０から投写することによってスクリーンＳＣ等に画像を
表示する。尚、本実施形態では、液晶ライトバルブ５６Ｇが第１の光変調部に相当し、液
晶ライトバルブ５６Ｒ，５６Ｂが第２の光変調部に相当する。
【００１９】
光源５２は、超高圧水銀ランプやメタルハライドランプ等からなる放電型の光源ランプ
５２ａと、光源ランプ５２ａが放射した光を液晶ライトバルブ５６Ｒ，５６Ｇ，５６Ｂ側
に反射するリフレクター５２ｂとを含んで構成されている。尚、光源５２は光源部に相当
する。
光源５２から射出された光は、インテグレーター光学系（図示せず）によって輝度分布
が略均一な光に変換され、色分離光学系（図示せず）によって光の３原色である赤色（Ｒ
），緑色（Ｇ），青色（Ｂ）の各色光成分に分離された後、それぞれ液晶ライトバルブ５
６Ｒ，５６Ｇ，５６Ｂに入射する。
液晶ライトバルブ５６Ｒ，５６Ｇ，５６Ｂは、一対の透明基板間に液晶が封入された液
晶パネル等によって構成される。液晶ライトバルブ５６Ｒ，５６Ｇ，５６Ｂには、マトリ
ックス状に配列された複数の画素（図示せず）が形成されており、液晶に対して画素毎に
駆動電圧を印加可能になっている。
【００２０】
液晶駆動手段５４は、入力された画像信号に応じた駆動電圧を各画素に印加する。その
結果、各画素は画像信号に応じた光透過率に設定される。このため、光源５２から射出さ
れた光は、この液晶ライトバルブ５６Ｒ，５６Ｇ，５６Ｂを透過することによって変調さ
れ、画像信号に応じた画像光が色光毎に形成される。
形成された各色の画像光は、色合成光学系（図示せず）によって画素毎に合成されてカ
ラーの画像光となった後、投写部に相当する投写レンズ６０によってスクリーンＳＣ等に
拡大投写される。
尚、投写レンズ６０は、投写する画像の拡大率を変更するためのズームレンズ６４、お
よびスクリーンＳＣに投写した画像に対してピント調整するためのフォーカスレンズ６２
を備える。
本実施形態では、ユーザーがズーム調整手段４６を操作することでズームレンズ６４に
よる拡大率が変化する。また、ユーザーがフォーカス調整手段４４を操作することでフォ
ーカスレンズ６２によるピント調整が実行される。
【００２１】
また、ユーザーがレンズシフト調整手段４８を操作することで、投写レンズ６０が光軸
と直交する上下左右方向に移動し、スクリーンＳＣに投写する画像の位置が上下左右方向
に移動する。
本実施形態では、光源５２として光源ランプ５２ａを用いて投写するプロジェクター１
０を例示したが、本発明は光源としてＬＥＤ（Light emitting diode）光源やレーザー光
源等を用いて投写するプロジェクターにも適用することができる。
なお、本実施形態では、画像投写手段５０は、３つの液晶ライトバルブ５６Ｒ，５６Ｇ
，５６Ｂを用いた透過型液晶方式の投写光学系を例示したが、所謂、ＤＬＰ（Digital Li
ght Processing）方式やＬＣＯＳ方式等における３板式の光変調装置を採用しても良い。
画像入力端子２０は、ビデオ再生装置やパーソナルコンピューター等、外部の画像出力
装置から、何れも図示しないケーブル、又は通信機器等を介して画像データが入力される
。入力された画像データは画像データ入力手段２２に送られる。
【００２２】
画像データ入力手段２２は、画像入力端子２０から送られる画像データを、制御手段３
０の指示に基づき、画像信号処理手段３２に出力する。尚、画像データ入力手段２２は、
無線通信や光通信等の受信部を備え、外部機器から無線によって画像データを入力する態
様も想定できる。
入力操作手段２４は、ユーザーがプロジェクター１０に対して各種指示を行うための複
数の操作キー（図示せず）を備え、プロジェクター１０の筐体（図示せず）の外面に備え
られる本体キーで構成される。また、入力操作手段２４は、赤外線や電波等を使用した無
線によるリモコン装置（図示せず）も想定できる。
画像信号処理手段３２は、制御手段３０の指示に基づき、画像データ入力手段２２から
出力される画像データを、液晶ライトバルブ５６Ｒ，５６Ｇ，５６Ｂの各画素の階調を表
す画像信号に変換する。ここで、変換された画像信号は、赤（Ｒ），緑（Ｇ），青（Ｂ）
の色光別になっており、各液晶ライトバルブ５６Ｒ，５６Ｇ，５６Ｂのすべての画素に対
応する複数の画素値によって構成されている。画素値とは、対応する画素の光透過率を定
めるものであり、この画素値によって、各画素を透過し射出する光の強弱（階調）が規定
される。
【００２３】
ＯＳＤ処理手段３４は、制御手段３０の指示に基づいて、投写画像上に、メニュー画像
やメッセージ画像等のＯＳＤ（オンスクリーンディスプレイ）画像を重畳して表示するた
めの処理を行う。ＯＳＤ処理手段３４は、ＯＳＤメモリー（図示せず）を備えており、Ｏ
ＳＤ画像を形成するための図形やフォント等を表すＯＳＤ画像情報を記憶している。
制御手段３０が、ＯＳＤ画像の重畳表示を指示すると、ＯＳＤ処理手段３４は、必要な
ＯＳＤ画像情報をＯＳＤメモリーから読み出し、投写画像上の所定の位置にＯＳＤ画像が
重畳されるように、画像信号処理手段３２から入力される画像信号にＯＳＤ画像情報の信
号を合成する。ＯＳＤ画像情報が合成された画像信号は、アライメント調整手段３６に出
力される。
【００２４】
なお、制御手段３０からＯＳＤ画像を重畳する旨の指示がない場合には、ＯＳＤ処理手段３４は、画像信号処理手段３２から入力される画像信号を、そのままアライメント調整手段３６に出力する。
アライメント調整手段３６は、アライメント調整部に相当し、スクリーンＳＣ上に投写された各原色光Ｒ、Ｇ、Ｂに対応する色成分画像の間で生じた位置ずれを低減させるべく、記憶手段４０に記憶されている補正情報に応じて画像信号を補正し、補正した画像信号を液晶駆動手段５４に出力する。
本実施形態では、補正情報は各原色光Ｒ、Ｇ、Ｂの成分画像の間の位置ずれが低減されて各色成分画像が適切に重畳するように設定されることが好ましく、アライメント調整手段３６は、補正情報に基づいて、画像信号に含まれる各原色光Ｒ、Ｇ、Ｂの成分画像の位置ずれを補正した画像信号を生成する。尚、補正情報に基づくアライメント調整に関する詳細な説明は、例えば、特開２０１３−１０５１７０号公報に開示されている
【００２５】
また、アライメント調整手段３６は、制御手段３０の指示に基づいて、調整パターン画
像７０（図２）の表示をアライメント画像表示制御手段３８に指示し、スクリーンＳＣに
表示した調整パターン画像７０を介してユーザーに補正情報を設定させる。また、アライ
メント調整手段３６は、設定した補正情報を記憶手段４０に記憶する。
アライメント画像表示制御手段３８は、アライメント調整手段３６からの指示に基づい
て調整パターン画像７０を生成し、生成した調整パターン画像７０をスクリーンＳＣに表
示させる。本実施形態では、アライメント画像表示制御手段３８は表示制御部に相当する
。尚、アライメント調整手段３６およびアライメント画像表示制御手段３８の各機能の詳
細は後述する。
液晶駆動手段５４は、アライメント調整手段３６から出力される画像信号に従って液晶
ライトバルブ５６Ｒ，５６Ｇ，５６Ｂを駆動させ、液晶ライトバルブ５６Ｒ，５６Ｇ，５
６Ｂは、画像信号に応じた画像を形成し、この画像が投写レンズ６０から投写される。
制御手段３０は、ＣＰＵ（Central Processing Unit）や、各種データ等の一時記憶に
用いられるＲＡＭ（Random Access Memory）等を備え、記憶手段４０に記憶されている制
御プログラム（図示せず）に従って動作することによりプロジェクター１０の動作を統括
制御する。
【００２６】
記憶手段４０は、フラッシュメモリーやＦｅＲＡＭ等の書き換え可能な不揮発性のメモ
リーにより構成されており、プロジェクター１０の動作を制御するための制御プログラム
や、プロジェクター１０の動作条件等を規定する各種設定データ等が記憶されている。ま
た、記憶手段４０には、アライメント調整手段３６で設定した補正情報が記憶される。
光源制御手段４２は、制御手段３０の指示に基づいて、光源５２に対する電力の供給と
停止とを制御し、光源５２の点灯及び消灯を切り替える。
電源供給手段２８には、ＡＣ１００Ｖ等の電力が電源端子２６を介して外部から供給さ
れる。電源供給手段２８は、例えば、商用電源（交流電源）を所定の電圧の直流電源に変
換して、プロジェクター１０の各部に変換した電力を供給する。
＜補正情報の設定＞
次に、補正情報の設定について説明する。補正情報の設定は、ＯＳＤ画像としてスクリ
ーンＳＣに表示されるメニュー画像からユーザーが「液晶アライメント」を選択すること
により、アライメント調整手段３６が処理を開始する。
【００２７】
アライメント調整手段３６は、以下の機能を備える。
（１）色の組み合わせ選択機能
（２）全体調整機能
（３）全体調整のモード設定機能
（４）四点調整機能
（５）各点調整機能
【００２８】
（１）色の組み合わせ選択機能
アライメント調整手段３６は、原色光Ｇ（第１の色成分）を基準とした原色光Ｒ（第２
の色成分）の第１ずれ補正、および、原色光Ｇを基準とした原色光Ｂ（第２の色成分）の
第２ずれ補正を個別に行い補正情報を決定する。本実施形態では、ユーザーは、補正情報
を設定する際に、補正する色の組み合わせ、即ち、第１ずれ補正および第２ずれ補正の何
れを行うかを選択するように構成されている。
（２）全体調整機能
全体調整とは、パターン像の位置を一様に平行移動させる調整である。本実施形態では
、色の組み合わせ選択機能において第１ずれ補正が選択された場合、アライメント画像表
示制御手段３８は、図２に示すような原色光Ｇに対応する画像信号（第１の画像信号）が
示す調整パターン画像７０Ａと、原色光Ｒに対応する画像信号（第２の画像信号）が示す
調整パターン画像７０Ｂと、を重畳した調整パターン画像７０をスクリーンＳＣに表示す
る。ここで、原色光Ｒ、Ｇの色成分画像の間で位置ずれが生じる場合、調整パターン画像
７０Ａと、調整パターン画像７０Ｂとは一致せず、位置ずれに応じた画素分がずれて表示
される。
【００２９】
更に、アライメント調整手段３６は受付部に相当し、指示入力画面８０Ａ（第１の指示
入力画面）をＯＳＤ画像として調整パターン画像７０に重畳してスクリーンＳＣに表示さ
せ、指示入力画面８０Ａを介してユーザーから指示された移動指示を受け付ける。
図３は、指示入力画面８０Ａを説明する図である。ユーザーは、入力操作手段２４を介
してスクリーンＳＣに表示された指示入力画面８０Ａの方向キー８２を操作する。本実施
形態では、方向キー８２を押下すると移動指示が生成され、アライメント調整手段３６は
生成された移動指示に応じて調整パターン画像７０Ｂを移動させる。従って、ユーザーは
、スクリーンＳＣに表示される調整パターン画像７０を視認しつつ、方向キー８２を適切
に押下することで、調整パターン画像７０Ａおよび調整パターン画像７０Ｂのずれを低減
させることができる。アライメント調整手段３６は、ずれを低減させるべく押下した方向
キー８２の情報に基づいて、第１ずれ補正における原色光Ｒ成分の補正情報を決定する。
【００３０】
また、本実施形態では、ユーザーが指示入力画面８０Ａの「次へ」ボタン８４を押下す
ると、アライメント調整手段３６は四点調整機能の処理を開始し、「終了」ボタン８６を
押下すると、補正情報の設定が終了する。指示入力画面８０Ａを介した移動指示に基づく
調整により十分な調整が為され、それ以上の補正が必要ではなくなることもある。そのた
め、本実施形態のプロジェクターは、指示入力画面８０Ａを介しての移動指示と後述する
指示入力画面８０Ｂを介しての移動指示を受け付けることができればよく、上記のように
指示入力画面８０Ａを介しての移動指示を受け付けた後、指示入力画面８０Ｂを介しての
移動指示を受け付ける前に、補正情報の設定を終了させることができるようにしてもよい
。
（３）全体調整のモード設定機能
アライメント調整手段３６は、詳細に全体調整（詳細調整モード）するか、または、簡
単に全体調整（簡単調整モード）するか、の何れかのモードを選択できるように構成され
ることが好ましい。本実施形態では、詳細調整モードが選択された場合、アライメント調
整手段３６は、方向キー８２の１回の押下に応じて１画素の１／８程度の移動指示を生成
する。この移動指示は調整パターン画像７０Ｂの全ての交点に対して同じ値の移動量が指
示され、その結果、調整パターン画像７０Ｂは一律に移動する。また、簡単調整モードが
選択された場合、アライメント調整手段３６は、調整パターン画像７０Ｂの情報を読み出
すメモリーのアドレスをオフセットすることにより、１画素単位で調整パターン画像７０
Ｂの全ての交点を一律に移動させる。簡単調整モードは１画素単位で移動させるため、詳
細調整モードと比較して画像の画質低下を回避できる。
【００３１】
（４）四点調整機能
四点調整とは、パターン像の複数の端部、即ち、四隅を対象に位置ずれを補正する調整
機能である。本実施形態では、アライメント調整手段３６は、図４に示すように、調整パ
ターン画像７０の四隅に対応する交点を調整対象として反時計回りに順次指示する。更に
、アライメント調整手段３６は、調整パターン画像７０の所定領域に指示入力画面８０Ｂ
（第２の指示入力画面）を重ねて表示し、指示入力画面８０Ｂを介してユーザーから指示
される移動指示に基づいて各交点を移動させ、補正情報を決定する。尚、本実施形態では
、指示入力画面８０Ｂは、図３で示した指示入力画面８０Ａと同一である。ユーザーが「
次へ」ボタン８４を押下すると、アライメント調整手段３６は各点調整機能の処理を開始
する。
【００３２】
（５）各点調整機能
各点調整機能とは、パターン像の任意の交点を対象に位置ずれを補正する調整機能であ
る。調整対象の交点は指示入力画面８０Ｂをユーザーが操作して指定し、指定した交点を
方向キー８２で移動させる態様を想定する。尚、本実施形態では、ユーザーが「次へ」ボ
タン８４を押下すると、アライメント調整手段３６は各点調整機能の処理を再度開始する
。
また、一連の原色光Ｒに対する第１ずれ補正が完了すると、ユーザーは必要に応じて原
色光Ｂに対する第２ずれ補正を行う。
尚、四点調整機能および各点調整機能では、方向キー８２の操作により全ての交点が一
律に移動しない。即ち、調整対象以外の交点の移動量は、調整対象の交点の移動量を２交
点間の距離に応じて案分して決定される。
また、本実施形態では、アライメント調整は、最初に、全体調整を行い、その後必要に
応じて、所定の箇所を移動させるべく、四点調整や各点調整を行うように設定されている
が、これには限定されない。例えば、メニューで全体調整と、四点調整または各点調整と
、の何れかを選択させ、全体調整することなく四点調整や各点調整を実行できるような態
様も想定できる。
【００３３】
また、第１ずれ補正や第２ずれ補正は、原色光Ｇを基準としたが、原色光Ｒや原色光Ｂ
を基準とする態様も想定できる。また、２つのずれ補正モードに分離せず、原色光Ｒ，Ｇ
，Ｂのずれ補正を一度にまとめて行う態様も想定できる。
＜アライメント調整の処理の流れ＞
図５は、プロジェクター１０によるアライメント調整方法の処理の流れを示すフローチ
ャートである。
処理が開始されると、制御手段３０は、ユーザーに色の組み合わせを選択させ（ステッ
プＳ１００）、選択された色の組み合わせに応じてスクリーンＳＣに調整パターン画像７
０を表示する＜表示工程＞。
次に、制御手段３０は、詳細調整モードまたは簡単調整モードの何れか１つを全体調整
のモードとしてユーザーに選択させる（ステップＳ１０２）。
【００３４】
次に、制御手段３０は、詳細調整モードが選択されたか、否かを判定し（ステップＳ１
０４）、詳細調整モードが選択されたと判定した場合（ステップＳ１０４でＹｅｓ）、制
御手段３０は、ユーザーのボタン操作に応じて全ての交点の補正量を一定にして全体調整
を実行し（ステップＳ１０６）、ステップＳ１１０に進む＜第１の受付工程＞。
他方で、詳細調整モードが選択されない、即ち、簡単調整モードが選択されたと判定し
た場合（ステップＳ１０４でＮｏ）、制御手段３０は、パターン画像の情報を読み出すメ
モリーのアドレスをオフセットすることで全体調整を実行し（ステップＳ１０８）、ステ
ップＳ１１０に進む。
ステップＳ１１０では、制御手段３０は、アライメント調整の終了が指示されたか、否
かを判定し、アライメント調整の終了が指示されたと判定した場合（ステップＳ１１０で
Ｙｅｓ）、処理を終了する。
【００３５】
他方で、アライメント調整の終了が指示されないと判定した場合（ステップＳ１１０で
Ｎｏ）、制御手段３０は、パターン像の四隅の交点に関して四点調整を実行する（ステッ
プＳ１１２）＜第２の受付工程＞。
次に、制御手段３０は、アライメント調整の終了が指示されたか、否かを判定し（ステ
ップＳ１１４）、アライメント調整の終了が指示されたと判定した場合（ステップＳ１１
４でＹｅｓ）、処理を終了する。
他方で、アライメント調整の終了が指示されないと判定した場合（ステップＳ１１４で
Ｎｏ）、制御手段３０は、パターン像の任意の交点に関して各点調整を実行する（ステッ
プＳ１１６）。
【００３６】
次に、制御手段３０は、アライメント調整の終了が指示されたか、否かを判定し（ステ
ップＳ１１８）、アライメント調整の終了が指示されたと判定した場合（ステップＳ１１
８でＹｅｓ）、処理を終了する。
他方で、アライメント調整の終了が指示されないと判定した場合（ステップＳ１１８で
Ｎｏ）、制御手段３０は、ステップＳ１１６に戻り、各点調整を再度実行する。
尚、上述した処理が終了した後、制御手段３０は補正情報を記憶手段４０に記憶し＜記
憶工程＞、その後、画像入力端子２０に画像データが入力されると、プロジェクター１０
は、記憶した補正情報を読み出し、読み出した補正情報に基づいて画像の色ずれを補正し
、補正した画像をスクリーンＳＣに投写する。また、記憶された補正情報は、次にアライ
メント調整の処理が実行されるまで維持される。
【００３７】
以上述べた実施形態によれば、以下のような効果を奏する。
（１）アライメント調整を行う場合、位置ずれが複雑である場合、最初に、移動対象の
調整パターン画像７０Ｂを均等に移動させる全体調整機能により平行移動させることで、
視認上で大きな位置ずれを改善し、続いて、パターンの傾斜や大きさの違いによる微細な
位置ずれを四点調整または各点調整で改善できるため、アライメント調整に要する手間や
時間を削減できる。
【００３８】
以上、本発明を図示した実施形態に基づいて説明したが、本発明は、本実施形態に限定
されるものではなく、以下に述べるような変形例も想定できる。
（１）移動指示に応じて移動する交点の移動可能量には最大値が設定されている。従っ
て、一部の交点が各点調整の調整対象として既に所定量移動している場合、全体調整によ
り一律に移動させると、一部の交点が最大値に到達することが想定される。この場合には
、２つの態様が想定できる。一方は、何れかの交点が最大値に到達した場合には、全体調
整による一律の移動をできないように設定しても良い。また、他方は、全体調整により最
大値に到達した交点は以降の移動を中止し、最大値に到達していない他の交点のみを一律
に移動させても良い。
【００３９】
（２）レンズシフト調整手段４８により投写レンズ６０を移動させた場合、レンズの屈
折率が波長により異なるために投写画像の位置が色毎にずれることが想定できる。このよ
うな場合には全体調整を行うことでアライメントが完了することが多い。従って、レンズ
シフト調整手段４８からレンズシフト量に応じた信号を出力させ、その信号に応じて全体
調整の移動量を算出し、算出した移動量に基づいて対象の調整パターン画像７０を移動さ
せることで、ユーザーの操作が不要な自動アライメントを実現しても良い。
【００４０】
また、以上のような手法を実施する装置は、単独の装置によって実現される場合もあれ
ば、複数の装置を組み合わせることによって実現される場合もあり、各種の態様を含むも
のである。
各実施形態における各構成及びそれらの組み合わせは一例であり、本発明の趣旨から逸
脱しない範囲内で、構成の付加、省略、置換およびその他の変更が可能である。また、本
発明は実施形態により限定されるものではなく、クレームの範囲によってのみ限定される
。
【符号の説明】
【００４１】
１０…プロジェクター、１４…液晶駆動手段、２０…画像入力端子、２２…画像データ
入力手段、２４…入力操作手段、２６…電源端子、２８…電源供給手段、３０…制御手段
、３２…画像信号処理手段、３４…ＯＳＤ処理手段、３６…アライメント調整手段、３８
…アライメント画像表示制御手段、４０…記憶手段、４２…光源制御手段、４４…フォー
カス調整手段、４６…ズーム調整手段、４８…レンズシフト調整手段、５０…画像投写手
段、５２…光源、５２ａ…光源ランプ、５２ｂ…リフレクター、５４…液晶駆動手段、５
６Ｒ，５６Ｇ，５６Ｂ…液晶ライトバルブ、６０…投写レンズ、６２…フォーカスレンズ
、６４…ズームレンズ、７０，７０Ａ，７０Ｂ…調整パターン画像、８０Ａ，８０Ｂ…指
示入力画面、８２…方向キー、８４…「次へ」ボタン、８６…「終了」ボタン、ＳＣ…ス
クリーン。
【図１】
0006365079.tif 000002
【図２】
0006365079.tif 000003
【図３】
0006365079.tif 000004
【図４】
0006365079.tif 000005
【図５】
0006365079.tif 000006